(57)【要約】【課題】製品仕様がほぼ定着しているカタログオーダー製品の３次元製品ＣＡＤモデルを高速に構築する。【解決手段】カタログオーダー製品３次元ＣＡＤモデル編集装置は、カタログオーダー製品の製品仕様指示に従い、既存のカタログオーダー製品モデルより類似製品モデルを検索し類似製品モデルから製品仕様指示のカタログオーダー製品にするための編集指示を行う類似製品モデル検索処理部と、前記３次元ＣＡＤシステムへ類似製品モデルを取込み編集指示情報に従い標準部品情報を参照し、アセンブリ編集処理指示を行い対象のカタログオーダー製品３次元モデルを作成する製品モデルアセンブリ編集処理部と、前記製品モデルアセンブリ編集処理部で作成したカタログオーダー製品３次元モデルを再利用のための製品モデル情報として保管処理を行う製品モデル保管処理部で構成される。【選択図】図１
2007249768.tif 000002
【特許請求の範囲】
【請求項１】
３次元ＣＡＤシステムを有した、カタログオーダー製品の３次元ＣＡＤモデル生成装置において、前記３次元ＣＡＤシステムとカタログオーダー製品３次元ＣＡＤモデル編集装置とを配置した演算処理装置を有し、前記カタログオーダー製品３次元ＣＡＤモデル編集装置は、カタログオーダー製品の製品仕様指示に従い、格納された既存のカタログオーダー製品モデルより類似製品モデル１つを検索して類似製品モデルの製品仕様を抽出し、カタログオーダー製品の製品仕様と類似モデルの製品仕様から製品仕様の差分を指示した編集指示情報を生成する類似製品モデル検索処理部と、前記編集指示情報に従い標準部品情報を参照して前記編集指示情報に対応した標準部品情報を検索し、該標準部品情報を使用してアセンブリ編集処理指示を行い、カタログオーダー製品３次元モデルを作成する製品モデルアセンブリ編集処理部とを有して構成され、前記カタログオーダー製品３次元ＣＡＤモデル編集装置で編集されたカタログオーダー製品３次元モデルを表示する表示装置を有して構成されることを特徴とするカタログオーダー製品用３次元モデル生成装置。
【請求項２】
請求項１において、前記製品モデルアセンブリ編集処理部で作成したカタログオーダー製品３次元モデルを再利用するための保管処理を行う製品モデル保管処理部を有することを特徴とするカタログオーダー製品用の３次元モデル生成装置。
【請求項３】
請求項２において、前記製品モデル保管処理部は、前記カタログオーダー製品３次元モデルについて既に保管されているカタログオーダー製品３次元モデルの比較を行って類義している場合には保管処理をしないように構成されることを特徴とするカタログオーダー製品用の３次元モデル生成装置。
【発明の詳細な説明】
【技術分野】
【０００１】
本発明は、製品仕様がほぼ定着しているカタログオーダー製品の３次元モデル生成装置およびこのモデル生成装置による３次元モデル生成方法に関する。
【背景技術】
【０００２】
複数の部品からなり製品仕様がある程度定着しているカタログオーダー製品の３次元ＣＡＤによる製品モデル作成において、設計済みの製品モデルを流用して対象となるカタログオーダー製品の３次元モデルを作成する場合がある。３次元ＣＡＤによる流用設計においては、従来新製品に流用可能な部品を検索した後、３次元ＣＡＤ上で部品を取り込み部品を拘束して配置を行う作業が発生する。この様な流用設計を支援し部品を配置する方法は特許文献１に記載されている。
【０００３】
【特許文献１】特開平９−１７９８９２号公報
【発明の開示】
【発明が解決しようとする課題】
【０００４】
特許文献１に記載の方法では、部品配置を行うための拘束情報を含んだ標準部品を作成し３次元ＣＡＤ上で拘束情報を利用した部品配置がその方法であり、標準部品として部品を予め登録する作業が必要であり、また、任意の位置への部品配置を行うような配置部品の拘束条件をその都度設定する必要がある。一方、製品仕様がほぼ定着しているカタログオーダー製品においては、カタログオーダー製品で使用される標準部品はもちろん予め用意する必要があるが、配置部品の拘束条件もほぼ定着しており、その都度の拘束条件指示は設計者の負担になる場合がある。
【０００５】
本発明は、この様な従来技術の問題点を解決するためになされたもので、製品仕様がほぼ定着しているカタログオーダー製品の３次元製品ＣＡＤモデルを高速に構築するシステムを提供することある。
【課題を解決するための手段】
【０００６】
本発明のカタログオーダー製品用３次元モデル生成装置は、表示装置、入力装置、演算処理装置、作業用データメモリ、カタログオーダー製品モデル保管用記憶装置、及び３次元ＣＡＤシステムを有した、カタログオーダー製品の３次元ＣＡＤモデル生成装置において、前記演算処理装置には、３次元ＣＡＤシステムとカタログオーダー製品３次元ＣＡＤモデル編集装置を配置し、前記カタログオーダー製品３次元ＣＡＤモデル編集装置は、カタログオーダー製品の製品仕様指示に従い、既存のカタログオーダー製品モデルより類似製品モデル１つを検索・抽出し前記類似製品モデルから前記製品仕様指示のカタログオーダー製品にするための編集指示情報を生成する類似製品モデル検索処理部と、前記編集指示情報に従いアセンブリ編集処理指示を行い対象とするカタログオーダー製品３次元モデルを作成する製品モデルアセンブリ編集処理部と、前記製品モデルアセンブリ編集処理部で作成したカタログオーダー製品３次元モデルを再利用のための保管処理を行う製品モデル保管処理部および表示装置で構成されることを特徴としている。
【０００７】
また、カタログオーダー製品用の３次元モデル生成装置は、前記製品モデルアセンブリ編集処理部で作成したカタログオーダー製品３次元モデルを再利用するための保管処理を行う製品モデル保管処理部を有することを特徴とする。
【０００８】
また、カタログオーダー製品用の３次元モデル生成装置は、前記製品モデル保管処理部は、前記カタログオーダー製品３次元モデルについて既に保管されているカタログオーダー製品３次元モデルの比較を行って類義している場合には保管処理をしないように構成されることを特徴とする。
【発明の効果】
【０００９】
本発明のカタログオーダー製品用３次元モデル生成装置は、製品仕様がほぼ定着しているカタログオーダー製品の設計において、対象とするカタログオーダー製品の３次元製品ＣＡＤモデルを効率的に構築することが出来る。又、作成したカタログオーダー製品を整理保存することにより、類似製品モデルとして再利用され、更に効率的にカタログオーダー製品の３次元製品ＣＡＤモデルの構築を提供できる。
【発明を実施するための最良の形態】
【００１０】
以下、本発明の実施の形態を、図を用いて説明する。
図１は、本発明によるカタログオーダー製品用３次元モデル生成装置１００の構成の一実施例を示したブロック図である。
【００１１】
図１において、製品仕様がほぼ定着しているカタログオーダー製品の３次元製品設計を行うカタログオーダー製品用３次元モデル生成装置１００は、演算処理装置３に３次元ＣＡＤシステム４とカタログオーダー製品３次元ＣＡＤモデル編集装置７が組み合わされる。更に、カタログオーダー製品用３次元モデル生成装置１００は、これらの組み合わせに接続されたカタログオーダー製品の標準部品モデルと既設計済みのカタログオーダー製品モデルとカタログオーダー製品モデルの構成や配置、部品寸法情報等を管理するカタログオーダー製品モデル情報とを保持するカタログオーダー製品モデル保管用記憶装置６と、カタログオーダー製品３次元モデル編集装置７で編集した３次元製品モデルの結果を表示する表示装置１と、前記カタログオーダー製品３次元モデル編集装置７に対象となるカタログオーダー製品の製品仕様の入力指示行う入力装置２と、カタログオーダー製品３次元ＣＡＤモデル編集装置７の処理で使用する作業用データメモリ５とを備えている。
【００１２】
３次元ＣＡＤ部品データ構成編集装置７は、対象となるカタログオーダー製品の製品仕様即ち、部品構成と配置、更には部品の寸法情報を取込み、カタログオーダー製品モデル保管用記憶装置６に保管されているカタログオーダー製品モデル情報より対象となるカタログオーダー製品に最も近い類似製品モデル１つを検索・抽出し、更に、類似製品モデルから対象となるカタログオーダー製品にするための編集指示情報を類似製品モデル名称と合わせて作業用データメモリ５に出力する類似製品モデル検索処理部７−１と、類似製品モデル検索処理部７−１で出力された類似製品モデル名称と編集指示情報を読込み、対象となるカタログオーダー製品の３次元モデルのアセンブリ編集処理を３次元ＣＡＤシステム４に指示し、カタログオーダー製品３次元モデルを生成する製品モデルアセンブリ編集処理部７−２と、製品モデルアセンブリ編集処理部７−２で作成したカタログオーダー製品３次元モデルを再利用のための製品モデル情報として保管処理を行うために前記類似製品モデル検索処理部７−１で出力した類似製品モデルを編集指示する編集指示情報を取込み、保管するかの評価とカタログオーダー製品モデル保管用記録装置６に登録処理を行う製品モデル保管処理部７−３で構成されている。
【００１３】
図２に、カタログオーダー製品用３次元ＣＡＤモデル生成装置の利用形態である製品仕様がほぼ定着しているカタログオーダー製品の３次元製品設計を行うデータフローを示す。まず始めに、類似製品モデル検索処理部７−１において、対象となるカタログオーダー製品の製品仕様である部品構成・配置・部品寸法指示２ａを読込み、作業用データメモリ５に部品構成・配置・部品寸法指示５ａとして保存し、既作成済の格納されたカタログオーダー製品情報６ａにより類似製品モデルを抽出し、類似製品モデル名称、および対象となるカタログオーダー製品の製品仕様および類似製品モデルの製品とを比較することによって両者の差分を演算し、製品仕様指示差分としての部品構成・配置・部品寸法指示差分情報５ｂを出力する。次に、製品モデルアセンブリ編集処理部７−２において、前記類似製品モデル名称および製品仕様指示差分としての部品構成・配置・部品寸法指示差分情報５ｂ、および既作成済のカタログオーダーの製品３次元モデル６ｂから類似製品モデルの取込みと標準部品３次元モデル６ｃから標準部品の取込みを行い、対象とするカタログオーダー製品のアセンブリ編集処理を３次元ＣＡＤシステム４に指示を行い、編集後のカタログオーダー製品３次元モデル６ｄを出力する。上述した製品仕様指示差分に対応する、すなわち製品仕様指示差分に最も近似する標準部品情報を選出して、すなわち検索して、検索した標準部品情報を採用し、カタログオーダー製品３次元モデル６ｄを生成する。
【００１４】
最後に、製品モデル保管処理部７−３において、製品仕様指示である前記部品構成・配置・部品寸法指示５ａと類似製品モデル名称、製品仕様差分指示である部品構成・配置・部品寸法指示差分情報５ｂを読込み、保管の可否の評価後、部品構成・配置・部品寸法指示５ａを製品モデル情報６ａへ保管、編集後のカタログオーダー製品３次元モデル６ｄを製品モデル６ｂへ保管処理を行う。この製品モデル保管処理部７−３は、カタログオーダー製品モデル保管用記憶装置６の記憶領域の資源を有効に活用するために既登録済みの製品モデルと類似している製品モデルを除外するための処理を行う。ここで、図９〜図１１に本装置を適用したカタログオーダー製品の標準部品と製品モデル、更には本装置で適用して作成した適用製品モデルに例を示す。図９は、本装置で適用するカタログオーダー製品の標準部品３次元モデル６ｃに相当する。又、図１０は、本製品で既に適用し、再利用するために保存している製品３次元モデル６ｂに相当する。最後に、図１１は、本装置を適用したカタログオーダー製品の編集後のカタログオーダー製品３次元モデル６ｄに相当する。
【００１５】
図３は、本実施例によるカタログオーダー製品３次元ＣＡＤモデル編集装置７の類似製品モデル検索処理部７−１の処理手順を示すフローチャートであり、図４は、製品モデルアセンブリ編集処理部７−２の処理手順を示すフローチャートであり、更に、図５は製品モデル保管処理部７−３の処理手順を示すフローチャートである。図６〜図８の図面を参照して説明する。
【００１６】
図３において、まず始めに類似製品モデル検索処理部７−１を使用した処理で対象となるカタログオーダー製品の製品仕様である。部品構成と配置、更には部品の寸法情報を取込む（Ｓ１−１）。ここで、対象となるカタログオーダー製品の製品仕様の一例を図６に示す。次に、カタログオーダー製品モデル保管用記憶装置６内の製品モデル情報６ａから類似製品モデルリストを作成するループ処理を行う（Ｓ１−２）。製品モデル情報のループ処理（Ｓ１−２）では、まず始めに、製品モデル情報の１情報を製品モデル情報６ａより順次取得する（Ｓ１−３）。次に、取得した製品モデル情報と対象製品仕様の製品モデル情報とを比較して評価値を計算し類似製品モデルリストを作成する（Ｓ１−４）。ここで、図７に類似製品モデルリストの一例を示す。類似製品モデルリストは、製品モデル名称と評価値で構成されている。類似製品モデルを検索する上では、最も修正の少ない部品構成を持つ製品モデルを選択できるのが最善であり、更に、部品の追加や余剰部品の削除も少ないほうが、製品モデル構築時間を低減することが出来る。ここで各製品モデルに対して評価値を設けて最善の類似製品モデルを選択できるようにする。この場合の評価算出方法の一例は、
評価値
＝｛対象となる製品仕様と同一部品が構成している個数｝×１００００
−｛対象となる製品仕様と以外の部品の個数｝×１００００
＋｛同一配置位置の個数｝×１００
＋｛同一寸法値の個数｝
で前回保持した評価値と比較して大きい評価値の製品モデルに差し換え処理を行う。製品モデル情報のループ処理（Ｓ１−２）を終了すると類似製品モデルリストには最も類似している類似製品モデル名称は保存されている。次に、決定して類似製品モデルから対象となるカタログオーダー製品モデルを構築するための類似製品モデルとの編集差分情報即ち類似製品モデル名称、部品構成・配置・部品寸法指示差分情報（５ｂ）を作成する（Ｓ１−５）。ここで、図８に編集差分情報の一例を示す。先頭には、類似製品モデル名称を出力し、２行目以降に部品の追加情報、削除情報、部品の配置変更情報、部品の寸法変更情報がそれぞれ出力している。
【００１７】
次に、図４の、製品モデルアセンブリ編集処理部７−２の処理ステップに移行する。図４において、まず始めに前記類似製品モデル検索処理部７−１で出力した類似製品モデル名称、製品仕様指示差分である部品構成・配置・部品寸法指示差分情報(５ｂ)を取込む(Ｓ２−１)。次に、取込んだ類似製品モデル名称、製品仕様指示差分である部品構成・配置・部品寸法指示差分情報(５ｂ)で指示されている製品モデル名称のモデルについて標準部品情報（６ｃ）より３次元ＣＡＤシステム４へ読込み指示する(Ｓ２−２)。次に、類似製品モデル名称、製品使用差分である部品構成・配置・部品寸法指示差分情報(５ｂ)の作成指示情報のループ処理を行う(Ｓ２−３)。作成指示情報のループ処理(Ｓ２−３)では、作成指示情報が部品削除の場合は、判定処理(Ｓ２−４)により部品の削除指示を行う(Ｓ２−５)。部品の削除指示(Ｓ２−５)では３次元ＣＡＤシステム４に部品の削除指示を行う。部品の削除指示(Ｓ２−５)が終了すると次の処理ループに移行する。
【００１８】
次に、作成指示情報が部品追加の場合は、判定処理(Ｓ２−６)により部品の読込み指示を行う(Ｓ２−７)。部品の読込み指示(Ｓ２−７)では３次元ＣＡＤシステム４に標準部品(６c)より指示差分に最も対応した指示部品の読込み指示を行う。部品の読込み指示(Ｓ２−７)が終了すると次の処理判定に移行する。
【００１９】
次に、作成指示情報が部品の配置変更の場合は、判定処理(Ｓ２−８)により部品の配置変更指示を行う(Ｓ２−９)。部品の配置変更指示(Ｓ２−９)では３次元ＣＡＤシステム４に指示部品の配置変更指示を行う。部品の配置変更指示(Ｓ２−７)が終了すると次の処理判定に移行する。
【００２０】
最後の作成指示情報のループ処理(Ｓ２−３)では、作成指示情報が部品の寸法変更の場合は、判定処理(Ｓ２−１0)により部品の寸法変更指示を行う(Ｓ２−１１)。部品の寸法変更指示(Ｓ２−１１)では３次元ＣＡＤシステム４に指示部品の寸法変更指示を行う。以上の作成指示情報のループ処理(Ｓ２−３)では対象とするカタログオーダー製品の３次元ＣＡＤモデルが３次元ＣＡＤシステム４上に作成され、最後に、前記カタログオーダー製品の３次元ＣＡＤモデルを出力して(Ｓ２−１２),処理を終了する。
【００２１】
最後に図５の製品モデル保管処理部７−３の処理ステップに移行する。まず始めに、対象となるカタログオーダー製品モデルの製品仕様である部品構成・配置・部品寸法指示５ａと、前記対象となるカタログオーダー製品モデルを構築するための類似製品モデルとの編集差分情報即ち類似製品モデル名称、製品仕様指示差分である部品構成・配置・部品寸法指示差分情報(５ｂ)を読込む(Ｓ３−１)。次に、今回作成したカタログオーダー製品に３次元モデルを再利用するための保存登録可否の判定評価を行う(Ｓ３−２)。ここでの保存登録可否判定評価値の算出方法の一例は、以下の計算式で求めることが出来る。
製品モデル登録可否の評価値＝
{{{部品追加の総数}＋{部品削除の総数}−{同一部品の総数}}−{部品の総数}}
÷｛部品の総数｝
【００２２】
次に製品モデル登録判定処理(Ｓ３−３)により製品モデルと情報の登録を行う(Ｓ３−４)。ここで、製品モデル登録判定処理(Ｓ３−３)の１判定方法は、前記評価値が正値或いは予め設定した閾値以上を判定式とする。又、製品モデル登録判定処理(Ｓ３−３)では、前記作成した製品モデルと前記製品モデル情報即ち部品構成・配置・部品寸法指示(５ａ)をカタログオーダー製品モデル保管用記憶装置６に保存する。
【図面の簡単な説明】
【００２３】
【図１】本発明の形態になるカタログオーダー製品の３次元モデル生成装置を示すブロック図。
【図２】本発明で用いたカタログオーダー製品の３次元モデル生成装置の利用形態のデータフロー図。
【図３】製品モデル検索処理を行う処理手順のフローチャート図。
【図４】製品モデルアセンブリ編集処理を行う処理手順のフローチャート図。
【図５】製品モデル保管処理を行う処理手順のフローチャート図。
【図６】対象となるカタログオーダー製品の製品仕様情報の構成例を示す図。
【図７】類似製品モデルリストの構成例を示す図。
【図８】類似製品モデル名、部品構成・配置・寸法指示差分情報の構成例を示す図。
【図９】対象となる標準部品の例を示す図。
【図１０】対象となる製品モデルの例を示す図。
【図１１】本装置を適用したカタログオーダー製品の適用製品モデルの例を示す図。
【符号の説明】
【００２４】
１…表示装置、２…入力装置、３…演算処理装置、４…３次元ＣＡＤシステム、５…作業用データメモリ、６…カタログオーダー製品モデル保管用記憶装置、７…カタログオーダー製品３次元ＣＡＤモデル編集装置、１００…カタログオーダー製品用３次元モデル生成装置。
【図１】
2007249768.tif 000003
【図２】
2007249768.tif 000004
【図３】
2007249768.tif 000005
【図４】
2007249768.tif 000006
【図５】
2007249768.tif 000007
【図６】
2007249768.tif 000008
【図７】
2007249768.tif 000009
【図８】
2007249768.tif 000010
【図９】
2007249768.tif 000011
【図１０】
2007249768.tif 000012
【図１１】
2007249768.tif 000013